(57)【要約】【課題】携帯が容易であることや、組立が容易である容器を提案する。【解決手段】折り目を介して連結される第１底面と第２底面上に平坦側面が折り目を介して対称な位置に相対するように１枚づつ底辺を第１底面と第２底面上にそれぞれ溶着され、前記第１底面の溶着部と前記第２底面とは、それぞれの前記底辺でさらに折畳可能な四辺形の容器底部の両端で溶着され、前記容器底部は、第１底面の溶着部と第２底面と溶着されない１対の両辺は、折曲り側面とそれぞれ連結され、折曲り側面の折曲り部は、第１底面と第２底面の間の折り目上となるように構成され、前記折曲り側面の側辺は、平坦側面の側辺とそれぞれ連結される。【選択図】図４
2018079314.tif 000002
【特許請求の範囲】
【請求項１】
折り目を介して連結される第１底面と第２底面上に平坦側面が折り目を介して対称な位置に相対するように１枚づつ底辺を第１底面と第２底面上にそれぞれ溶着され、
前記第１底面の溶着部と前記第２底面とは、それぞれの前記底辺でさらに折畳可能な四辺形の容器底部の両端で溶着され、
前記容器底部は、第１底面の溶着部と第２底面と溶着されない１対の両辺は、折曲り側面とそれぞれ連結され、
折曲り側面の折曲り部は、第１底面と第２底面の間の折り目上となるように構成され、前記折曲り側面の側辺は、平坦側面の側辺とそれぞれ連結される容器。
【請求項２】
容器が浴槽であることを特徴とする請求項１に記載の容器。
【請求項３】
容器が水槽であることを特徴とする請求項１に記載の容器。
【請求項４】
前記折曲り側面に、排水ホースが設けられることを特徴とする請求項３に記載の容器。
【発明の詳細な説明】
【技術分野】
【０００１】
本発明は、どこにでも自在に携帯することができ、時間をかけずにお湯さえ入手できれば直ちに入浴可能な浴槽または水を確保可能な水槽となる容器の提供に関する。
【背景技術】
【０００２】
従来移動式の容器の例として浴槽は、災害時対策として例えば特許文献１で浴槽が提案されていた。
【先行技術文献】
【特許文献】
【０００３】
【特許文献１】特表２０１０−５０８１３２号公報
【発明の概要】
【発明が解決しようとする課題】
【０００４】
ところで、組立型の浴槽は特許文献１などが提案されていたが、耐久性が重視されたため、携帯が容易であることや、組立が容易であることなどが必ずしも重視されてこなかった。
【０００５】
そこで、本発明の目的は、携帯が容易であることや、組立が容易である容器を提案することにある。
【課題を解決するための手段】
【０００６】
本発明の課題を解決する為に、本発明に係る容器は、折り目を介して連結される第１底面と第２底面上に平坦側面が折り目を介して対称な位置に相対するように１枚づつ底辺を第１底面と第２底面上にそれぞれ溶着され、前記第１底面の溶着部と前記第２底面とは、それぞれの前記底辺でさらに折畳可能な四辺形の容器底部の両端で溶着され、前記容器底部は、第１底面の溶着部と第２底面と溶着されない１対の両辺は、折曲り側面とそれぞれ連結され、折曲り側面の折曲り部は、第１底面と第２底面の間の折り目上となるように構成され、前記折曲り側面の側辺は、平坦側面の側辺とそれぞれ連結される。
【発明の効果】
【０００７】
本発明に係る容器を適用することで、移動時には折り目で折り畳みコンパクトな大きさにすることができるので、携帯が容易であるとともに、組立を容易にすることができ、一定量の液体を貯水することができる。
【図面の簡単な説明】
【０００８】
【図１】本発明の第一の実施形態に係る浴槽の携帯時の構成図である。
【図２】本発明の第一の実施形態に係る浴槽の構成図である。
【図３】本発明の第一の実施形態に係る浴槽の構成図である。
【図４】本発明の第一の実施形態に係る浴槽の構成図である。
【図５】本発明の第一の実施形態に係る浴槽の構成図である。
【図６】本発明の第二の実施形態に係る水槽の構成図である。
【図７】本発明の第二の実施形態に係る水槽の構成図である。
【図８】本発明の第二の実施形態に係る水槽の構成図である。
【図９】本発明の第二の実施形態に係る水槽の構成図である。
【図１０】本発明の第二の実施形態に係る水槽の構成図である。
【図１１】本発明の第二の実施形態に係る水槽の構成図である。
【発明を実施するための形態】
【０００９】
次に、本発明に係る容器としての浴槽の実施の形態について図面を参照して詳細に説明する。
【００１０】
（実施形態１）
図１〜５は、本発明に係る実施形態１である浴槽の概略を示す図を示したものである。
【００１１】
本発明に係る浴槽１の構成は、図４を用いて説明すると、折り目３を介して連結される第１底面２と第２底面４上に平坦側面８が折り目３を介して対称な位置に相対するように１枚づつ底辺を第１底面２と第２底面４上にそれぞれ溶着させる。ここで、各パネルはソフトＰＶＣ（ターポリン）等で構成される。また、強度を持たせるために内部に芯材が挿入されて補強される。第１底面２の溶着部と第２底面４とは、それぞれの前記底辺でさらに折畳可能な四辺形の浴槽底部１２の両端で溶着される。浴槽底部１２は、第１底面２の溶着部と第２底面４と溶着されない１対の両辺は、折曲り側面１０とそれぞれ連結される。折曲り側面１０の折曲り部は、第１底面２と第２底面４の間の折り目３上となるように構成される。折曲り側面１０の側辺は、平坦側面８の側辺とそれぞれ連結される。さらに、このように構成することで、第１底面２と第２底面４を重ね合わせた際は、平坦側面８と折曲り側面１０と浴槽底部１２は、全て第１底面２と第２底面４の間に折りたたまれる。一方、第１底面２と第２底面４を拡げた際は、平坦側面８と折曲り側面１０と浴槽底部１２により浴槽１が形成される。なお、平坦側面８と折曲り側面１０と浴槽底部１２の少なくともいずれか一つに、排水口を開口して使用後の湯を容易に廃棄できるようにすることもできる。
【００１２】
続いて図１〜図５を用いて本発明に係る浴槽の使用方法について説明する。第１底面２と第２底面４を折り目３で折りたたんだ際は、第１底面２と第２底面４とにそれぞれ設けられる把持部４を用いて、肩から掛けることで本発明に係る浴槽を携帯して容易に移動することができる（図１）。
浴槽１を配置するのに適した場所を発見した場合は、両把持部６を持って、左右に第１底面２と第２底面４を拡げると、平坦側面８が地面に対して垂直方向を維持しながら、その間を拡げ始める（図２）。
【００１３】
両把持部６を拡げてしまうと、折曲り側面１０も鉛直上向きに直立し始めるが、折曲り側面１０の折り目が伸びるまでは、第１底面２と第２底面４は下向きに凸状に折れ曲がり、第１底面２と第２底面４の端部は床から浮き上がった状態である（図３）。
【００１４】
続いて、折曲り側面１０の折り目を延ばすと、第１底面２と第２底面４はその折り目３で平坦となる。また、浴槽底部１２も平坦となり、浴槽が形成される（図４）。
【００１５】
この浴槽に、湯をはることで、任意の場所で浴槽を構成することができる（図５）。
【００１６】
（実施形態２）
本発明に係る容器としての水槽２１の構成は、図６から図１１を用いて説明すると、折り目２３を介して連結される第１底面２２と第２底面２４上に平坦側面２８が折り目２３を介して対称な位置に相対するように１枚づつ底辺を第１底面２２と第２底面２４上にそれぞれ溶着させる。ここで、各パネルはソフトＰＶＣ（ターポリン）等で構成される。また、強度を持たせるために内部に芯材が挿入されて補強される。第１底面２２の溶着部と第２底面２４とは、それぞれの前記底辺でさらに折畳可能な四辺形の水槽底部３２の両端で溶着される。水槽底部３２は、第１底面２２の溶着部と第２底面２４と溶着されない１対の両辺は、折曲り側面３０とそれぞれ連結される。折曲り側面３０の折曲り部は、第１底面２２と第２底面２４の間の折り目２３上となるように構成される。折曲り側面３０の側辺は、平坦側面２８の側辺とそれぞれ連結される。さらに、このように構成することで、第１底面２２と第２底面２４を重ね合わせた際は、平坦側面２８と折曲り側面３０と水槽底部３２は、全て第１底面２２と第２底面２４の間に折りたたまれる。一方、第１底面２２と第２底面２４を拡げた際は、平坦側面２８と折曲り側面３０と水槽底部３２により水槽２１が形成される。折曲り側面３０の中央底部に開口され、そこに排水ホース４４が溶着される。排水ホース４４は、図６では、水槽２１に水を両側の折曲り側面３０に設ける。このため、排水速度を高速化できる。
【００１７】
一方、折曲り側面３０上端部近傍には、排水ホース掛け４８が設けられ、水槽２１に水を溜める際には、排水ホース４４の先端の排水ホース掛け４８を通して固定し、排水しない場合に排水ホース４４を支える。排水ホース４４の端部には、結合金具４６が設けられる。この結合金具４６に他のホースを連結させることで延長させることもできる。
【００１８】
第１底面２２と第２底面２４は、その一端にソフトＰＶＣを複数枚重ねた補強部６２が設けられる。その補強部６２に把持部２６が固定される。特に第２底面２４の端部には、第１底面２２と第２底面２４を連結させる連結部６０が設けられる。
【００１９】
平坦側面２８の鉛直方向上側に透明ポケット５０を設ける。各種の収納が可能でかつ、透明であるため収納内容が一目瞭然である。例えば、商品表示や、品質表示などを挿入し、また差し替えて表示などが可能となる。必要に応じて印刷等に切り替えることもできる。
【００２０】
さらに、第１底面２２と第２底面２４には、図9に示される把手５６がそれぞれ水槽面と反対側にそれぞれ４か所設けられる。把手６７は、周囲をウェルダーで環状６８に溶融加工し、その内側にポリエステルベルト７２を設けて、そのポリエステルベルト７２さらに、カン金具７０を設ける。この把手６７を複数設ける場合に、移動が容易である。
【００２１】
また、水槽底部３２の裏側に、一組の縫製の取手７６と台紙７４が設けられる。図１０に水槽底部３２に設けた様子が示され、図１１（ａ）にその拡大図が示される。
【００２２】
図１１（ｂ）は、ナス環付き肩掛けベルト８２が、水槽底部３２の裏側に設けられる。
続いて図６〜図１１を用いて本発明に係る水槽の使用方法について説明する。第１底面２２と第２底面２４を折り目２３で折りたたんだ際は、第１底面２２と第２底面２４とにそれぞれ設けられる把持部２６を用いて、肩から掛けることで本発明に係る水槽を携帯して容易に移動することができる。また、ナス環付き肩掛けベルト８２により肩がけすることや、把手６７または取手７６により水槽２１を所持することもできる。
【００２３】
水槽２１を配置するのに適した場所を発見した場合は、両把持部２６を持って、左右に第１底面２２と第２底面２４を拡げると、平坦側面２８が地面に対して垂直方向を維持しながら、その間を拡げ始める。
【００２４】
両把持部２６を拡げてしまうと、折曲り側面３０も鉛直上向きに直立し始めるが、折曲り側面３０の折り目が伸びるまでは、第１底面２２と第２底面２４は下向きに凸状に折れ曲がり、第１底面２２と第２底面２４の端部は床から浮き上がった状態である。
【００２５】
続いて、折曲り側面３０の折り目を延ばすと、第１底面２２と第２底面２４はその折り目２３で平坦となる。また、水槽底部３２も平坦となり、水槽が形成される。さらに、排水ホース４４の先端である結合金具４６を排水ホース掛け４８に両方とも掛止させる。
【００２６】
この水槽２１に、水をはることで、任意の場所で水槽を構成して貯水することができ、結合金具４６を排水ホース掛け４８から外すことで、防災用水の臨時貯水の提供が可能となる。また、ホースにより排水がしやすく、排水先までホースを配置させることもできる。さらに、移動する際の保持する方法を選択することもできる。
【符号の説明】
【００２７】
１  浴槽
２  第１底面
３  折り目
４  第２底面
６  把持部
８  平坦側面
１０  折曲り側面
１２  浴槽底部
２１  水槽
２２  第１底面
２３  折り目
２４  第２底面
２６  把持部
２８  平坦側面
３０  折曲り側面
３２  水槽底部
４４  排水ホース
４６  結合金具
４８  排水ホース掛け
５０  透明ポケット
５６  把手
６０  連結部
６２  補強部
６７  把手
６８  環状
７０  カン金具
７２  ポリエステルベルト
７４  台紙
７６  取手
８２  ナス環付き肩掛けベルト
【図１】
2018079314.tif 000003
【図２】
2018079314.tif 000004
【図３】
2018079314.tif 000005
【図４】
2018079314.tif 000006
【図５】
2018079314.tif 000007
【図６】
2018079314.tif 000008
【図７】
2018079314.tif 000009
【図８】
2018079314.tif 000010
【図９】
2018079314.tif 000011
【図１０】
2018079314.tif 000012
【図１１】
2018079314.tif 000013